(57)【要約】【課題】  本発明は、スライド移動させる部材を回動させて９０度向きを切り替えでき、所定位置（所定範囲）ではスライド可能であるが回動は不能で、且つ所定のスライド位置（所定範囲）でのみ回動可能となる画期的なスライド装置並びにスライド装置を用いた電子機器を提供することを目的とする。【解決手段】  第一部材１に対してこの第一部材１に重合配設した第二部材２を重合面方向に、スライド部材４とこれに回動自在に設ける回動部材５を介して、スライド自在にして且つ回動自在に連結するスライド装置であって、回動規制ピン部８とピン逃げ部９又は回動部材５との干渉によってスライド部材４に対する回動部材５の回動を阻止し、且つ所定スライド位置では前記回動を許容するスライド位置回動規制機構６を備えたスライド装置並びにスライド装置を用いた電子機器。【選択図】      図４
2008275780.tif 000002
【特許請求の範囲】
【請求項１】
第一部材とこの第一部材に重合配設した第二部材とを重合面方向にスライド自在に連結するスライド装置であって、前記第一部材若しくは前記第二部材に設けたガイド部にこれをスライドガイドとしてスライド自在に係合する板状のスライド部材を設け、このスライド部材上に重合面を回動面とする回動部材を回動自在に設け、この回動部材に前記第二部材若しくは前記第一部材を設ける、又は前記スライド部材上に重合面を回動面として前記第二部材若しくは前記第一部材を直接回動自在に設けて、前記第二部材を前記第一部材に対して前記ガイド部と前記スライド部材との係合によってスライド自在に構成すると共に、前記スライド部材に対して回動させることによって前記第二部材を前記第一部材に対して回動自在に構成し、前記ガイド部に対する前記スライド部材の所定スライド位置では、前記第一部材に対する前記第二部材の回動を阻止し、且つ別のスライド位置では前記回動を許容するスライド位置回動規制機構を備え、前記第一部材若しくは前記第二部材と前記スライド部材又は前記第二部材若しくは前記第一部材との一方に回動規制ピン部を突設し、他方はこの回動規制ピン部の相対スライド移動を許容する逃げ凹部，逃げ溝若しくは逃げ孔などのピン逃げ部を有する形状に設定し、前記所定スライド位置では前記第一部材に対する前記回動部材又は前記第二部材の回動が前記回動規制ピン部により突き当り規制されて前記第一部材に対して前記第二部材の回動が阻止され、且つ前記スライド位置と異なるスライド位置では前記回動規制ピン部による突き当たり規制はなく回動が許容されるように前記回動部材又は前記第二部材若しくは第一部材の形状と前記規制ピン部の突設位置を設定して前記スライド位置回動規制機構を構成したことを特徴とするスライド装置。
【請求項２】
前記第一部材又はこの第一部材に設けた前記ガイド部に前記回動規制ピン部を一若しくは間隔を置いて複数設け、この回動規制ピン部の前記スライド部材のスライド移動による相対移動を許容する前記ピン逃げ部を前記スライド部材又は前記回動部材又は前記第二部材に設け、前記第一部材にスライド自在に設けた前記スライド部材に対して、前記回動部材を介して前記第二部材又は前記第二部材を直接回動する際、前記スライド部材が所定スライド位置にあるときは、前記回動規制ピン部と前記ピン逃げ部の縁部又は前記回動部材の側縁部とが突き当り回動が阻止され、前記スライド位置と異なるスライド位置では突き当り規制されず回動が許容されるように前記スライド位置回動規制機構を構成したことを特徴とする請求項１記載のスライド装置。
【請求項３】
前記第一部材に前記スライド部材をスライド自在に設け、このスライド部材上に板状の前記回動部材を回動自在に設け、この回動部材に前記第二部材を設けて前記スライド部材及び前記回動部材を介して前記第一部材に対して前記第二部材をスライド自在にして且つ回動自在に設けたことを特徴とする請求項１，２のいずれか１項に記載のスライド装置。
【請求項４】
前記スライド部材上に回動自在に重合する前記回動部材の形状を、前記第一部材に対して前記スライド部材と共にスライド自在となり、且つ前記所定スライド位置と異なるスライド位置では前記回動規制ピン部に突き当り規制されずに回動が許容される形状に設定したことを特徴とする請求項３記載のスライド装置。
【請求項５】
前記第一部材に直接又は前記第一部材に設けた前記ガイド部に突設した前記回動規制ピン部を前記スライド部材上に突設配設し、前記スライド部材上に回動自在に設けた前記回動部材に前記ピン逃げ部を設けるか又は前記回動規制ピン部の相対スライド移動を許容する形状に設定し、前記スライド部材が所定スライド位置にあるときは、前記回動規制ピン部と前記ピン逃げ部の縁部又は前記回動部材の側縁部とが突き当り回動が阻止され、前記スライド位置と異なるスライド位置では突き当り規制されず回動が許容されるように前記スライド位置回動規制機構を構成したことを特徴とする請求項２，３及び４記載のスライド装置。
【請求項６】
前記第一部材と前記第二部材とが合致重合配設したスライド位置では、前記第一部材に対する前記第二部材の回動が許容され、且つ前記第一部材に対して前記第二部材を前記スライド部材を介してスレ違いスライドさせた位置では前記第一部材に対して前記第二部材の回動が阻止されるように前記スライド位置回動規制機構を構成したことを特徴とする請求項１〜５のいずれか１項に記載のスライド装置。
【請求項７】
前記第一部材に対する第二部材の回動軸部を中央より偏心した位置に設けて、この第一部材と第二部材とを長方形状の同形に設定した際、第一部材と第二部材とが一致重合した状態から第一部材に対して第二部材を９０度回動することで第一部材と第二部材とが十字でなくＴ字状に中央でクロスする交差形状となるように構成したことを特徴とする請求項１〜６のいずれか１項に記載のスライド装置。
【請求項８】
操作部を設けた本体部にディスプレイ部を設けた重合部をスレ違いスライド自在に重合し、前記本体部に対し前記重合部をスライドさせて前記本体部の上面を隠蔽露出自在に構成すると共に、前記重合部を９０度回動自在に設けて前記ディスプレイ部の向きを９０度切り換え自在に構成し、この本体部を前記第一部材若しくは前記第二部材とし、前記重合部を前記第二部材若しくは前記第一部材として前記請求項１〜７のいずれか１項に記載のスライド装置によって重合連結したことを特徴とするスライド装置を用いた電子機器。
【請求項９】
横長の長方形状の前記本体部とこれを同形の前記重合部とを短辺方向にスレ違いスライド自在に連結すると共に、前記本体部と前記重合部とが一致重合した重合閉塞状態から前記重合部をスレ違いスライドして本体部の上面に設けた前記操作部又は操作部と第二ディスプレイ部を露出するように構成し、前記重合閉塞状態から前記重合部を９０度回動した際、この重合部の前記ディスプレイ部の向きが切り換わると共に、前記本体部と前記重合部とが十字状若しくはＴ字状に中央でクロスした交差状態となることで前記本体部の左右部が露出して前記操作部が露出するように構成したことを特徴とする請求項８記載のスライド装置を用いた電子機器。
【請求項１０】
前記請求項７記載のスライド装置を用いて前記本体部と前記重合部とを連結して、この本体部と重合部とを重合閉塞した状態からこの重合部を９０度回動することで重合部の横長状態の前記ディスプレイ部が縦長状態に切り換わると共に、本体部に対して重合部が手前側に突出せず後方側に突出したＴ字状に中央でクロスする交差状態となって前記本体部の左右の前記操作部が露出するように構成したことを特徴とする請求項９記載のスライド装置を用いた電子機器。
【請求項１１】
前記本体部と前記重合部とが一致重合した重合閉塞状態となるスライド０位置でのみ前記９０度回動が許容され、このスライド位置以外のスライド位置では前記本体部に対する前記重合部の回動は阻止されるように前記スライド位置回動規制機構を構成したことを特徴とする請求項８〜１０のいずれか１項に記載のスライド装置を用いた電子機器。
【発明の詳細な説明】
【技術分野】
【０００１】
本発明は、回動機構を備えたスライド装置並びにスライド装置を用いた電子機器に関するものである。
【背景技術】
【０００２】
例えば従来の折り畳み式の携帯電話・モバイル・パソコンあるいはゲーム機は、数字キーやファンクションキーを配列した操作部を下側となる本体部の上面側に設け、この操作部のキー操作などにより所定の表示がなされる液晶パネルなどのディスプレイ部を上側となる重合部の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して反転し、操作部とディスプレイ部とが露出した開放状態に切り替えできるように構成している。
【０００３】
そのため、従来このような起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、操作部を操作する場合には、ディスプレイ部を設けた重い重合部を立ち起こし反転回動させなければならず、この開閉動作（特に開放動作）させずらい欠点もある。
【０００５】
そこで、起伏回動により開閉動作するのではなく、重合面に沿って前後方向に重合部をスライド移動して開閉動作するように構成すれば、重合部の上側面にディスプレイ部を設けることができ、例えば不使用時あるいはキー操作不要時に重合した際においても、言い換えるとたとえディスプレイ部を設けた重合部を本体部に重合して操作部を隠蔽したコンパクト化状態においても、ディスプレイ部が上側に配設され、ディスプレイ部を視認したり、機能させたりすることが可能となり、また重合してコンパクト化した状態から操作部あるいは操作部や第二ディスプレイ部も露出した状態に切り替える場合は、重合面に沿って前後方向に重合部をスライド移動することで行なえるため、この開放動作も非常に容易に行なえ、機器装置として使用用途が広がり、しかも前記開閉動作も容易となる携帯電話，モバイル・パソコン・ゲーム機などの電子機器となる。
【０００６】
このようにスライド開閉方式に構成する場合には、本体部（第一部材）と重合部（第二部材）とをスライド自在に連結するスライド装置を用いることになるが、本体部の操作部を重合部で隠蔽した重合閉塞位置と、重合部を位置ズレするように前後方向へスライド移動させて操作部や第二ディスプレイ部を露出させたスライド開放位置とで位置決め保持（クリック係合）するように構成することが望ましい。
【０００７】
一方、このように本体部（第一部材）と重合部（第二部材）とをスライド自在に連結するスライド装置において、更に本体部に対して重合部をスライドさせるだけでなく、重合部を重合面に沿って水平回動してディスプレイ部の向きを回動切り替え可能となる回動機構をスライド装置に組み込むことが提案されている。
【発明の開示】
【発明が解決しようとする課題】
【０００８】
例えば、本体部に対してディスプレイ部を設けた重合部をスライド自在にして回動自在に連結するスライド装置とすることで、ディスプレイ部を９０度回動して縦長ディスプレイ状態から横長ディスプレイ状態あるいは逆に横長ディスプレイ状態から縦長ディスプレイ状態に容易に切り替えることができる。
【０００９】
しかし、この場合において安易に単に回動自在として、どのスライド位置でも常に自由に回動自在とすると、重合部の動きや回動向きが不安定となったり、組み込む回路基板同志を結線する配線に支障を生じたり、また、スムーズな動きを妨げるだけでなく、回動機構やスライド機構に支障を与えるおそれがあり、耐久性に支障を生じるおそれもある。
【００１０】
また、この回動機構には必要以上の過回動を阻止したり、所定回動位置で位置決め保持（クリック係合）するように構成することが望ましい。
【００１１】
そこで、本発明は、容易に製作可能でスムーズにスライド移動でき、しかも回動機構を組み込んでスライド移動させる部材を回動させて向きを切り替え自在に構成すると共に、単にいつでも自由に回動できるのではなく、所定位置（所定範囲）ではスライド可能であるが回動は不能で、且つ所定のスライド位置（所定範囲）でのみ回動可能となり、スムーズにスライド移動並びに回動切り替えが可能で、ふらつきが少なく、誤動作も防止でき、配線に支障を生じたりスライド機構や回動機構に支障が生じにくく耐久性も向上し、必要に応じて簡単な構成でクリック保持も容易に施すことも可能で、特にこのような所定スライド位置でのみ回動が許容されるスライド位置回動規制機構が極めて簡易な構成で容易に実現できる極めて画期的なスライド装置並びにスライド装置を用いた電子機器を提供することを目的としている。
【００１２】
更には、回動切り換えできるスライド位置を特定の位置のみとすることができ、使い易い位置でのみ、例えば一致重合した状態から９０度回動することで重合状態が十字状やＬ字状にならずＴ字状に中央でクロスする交差状態となって見易く使い易くなる位置でのみ、このように９０度向きを回動切り替えできるように設定でき、非常に使い易く実用性に秀れたスライド装置並びにスライド装置を用いた電子機器を提供することを目的としている。
【課題を解決するための手段】
【００１３】
添付図面を参照して本発明の要旨を説明する。
第一部材１とこの第一部材１に重合配設した第二部材２とを重合面方向にスライド自在に連結するスライド装置であって、前記第一部材１若しくは前記第二部材２に設けたガイド部３にこれをスライドガイドとしてスライド自在に係合する板状のスライド部材４を設け、このスライド部材４上に重合面を回動面とする回動部材５を回動自在に設け、この回動部材５に前記第二部材２若しくは前記第一部材１を設ける、又は前記スライド部材４上に重合面を回動面として前記第二部材２若しくは前記第一部材１を直接回動自在に設けて、前記第二部材２を前記第一部材１に対して前記ガイド部３と前記スライド部材４との係合によってスライド自在に構成すると共に、前記スライド部材４に対して回動させることによって前記第二部材２を前記第一部材１に対して回動自在に構成し、前記ガイド部３に対する前記スライド部材４の所定スライド位置では、前記第一部材１に対する前記第二部材２の回動を阻止し、且つ別のスライド位置では前記回動を許容するスライド位置回動規制機構６を備え、前記第一部材１若しくは前記第二部材２と前記スライド部材４又は前記第二部材２若しくは前記第一部材１との一方に回動規制ピン部８を突設し、他方はこの回動規制ピン部８の相対スライド移動を許容する逃げ凹部，逃げ溝若しくは逃げ孔などのピン逃げ部９を有する形状に設定し、前記所定スライド位置では前記第一部材１に対する前記回動部材５又は前記第二部材２の回動が前記回動規制ピン部８により突き当り規制されて前記第一部材１に対して前記第二部材２の回動が阻止され、且つ前記スライド位置と異なるスライド位置では前記回動規制ピン部８による突き当たり規制はなく回動が許容されるように前記回動部材５又は前記第二部材２若しくは第一部材１の形状と前記規制ピン部８の突設位置を設定して前記スライド位置回動規制機構６を構成したことを特徴とするスライド装置に係るものである。
【００１４】
また、前記第一部材１又はこの第一部材１に設けた前記ガイド部３に前記回動規制ピン部８を一若しくは間隔を置いて複数設け、この回動規制ピン部８の前記スライド部材４のスライド移動による相対移動を許容する前記ピン逃げ部９を前記スライド部材４又は前記回動部材５又は前記第二部材２に設け、前記第一部材１にスライド自在に設けた前記スライド部材４に対して、前記回動部材５を介して前記第二部材２又は前記第二部材２を直接回動する際、前記スライド部材４が所定スライド位置にあるときは、前記回動規制ピン部８と前記ピン逃げ部９の縁部又は前記回動部材５の側縁部とが突き当り回動が阻止され、前記スライド位置と異なるスライド位置では突き当り規制されず回動が許容されるように前記スライド位置回動規制機構６を構成したことを特徴とする請求項１記載のスライド装置に係るものである。
【００１５】
また、前記第一部材１に前記スライド部材４をスライド自在に設け、このスライド部材４上に板状の前記回動部材５を回動自在に設け、この回動部材５に前記第二部材２を設けて前記スライド部材４及び前記回動部材５を介して前記第一部材１に対して前記第二部材２をスライド自在にして且つ回動自在に設けたことを特徴とする請求項１，２のいずれか１項に記載のスライド装置に係るものである。
【００１６】
また、前記スライド部材４上に回動自在に重合する前記回動部材の形状を、前記第一部材１に対して前記スライド部材４と共にスライド自在となり、且つ前記所定スライド位置と異なるスライド位置では前記回動規制ピン部８に突き当り規制されずに回動が許容される形状に設定したことを特徴とする請求項３記載のスライド装置に係るものである。
【００１７】
また、前記第一部材１に直接又は前記第一部材１に設けた前記ガイド部３に突設した前記回動規制ピン部８を前記スライド部材４上に突設配設し、前記スライド部材４上に回動自在に設けた前記回動部材５に前記ピン逃げ部９を設けるか又は前記回動規制ピン部８の相対スライド移動を許容する形状に設定し、前記スライド部材４が所定スライド位置にあるときは、前記回動規制ピン部８と前記ピン逃げ部９の縁部又は前記回動部材５の側縁部とが突き当り回動が阻止され、前記スライド位置と異なるスライド位置では突き当り規制されず回動が許容されるように前記スライド位置回動規制機構６を構成したことを特徴とする請求項２，３及び４記載のスライド装置に係るものである。
【００１８】
また、前記第一部材１と前記第二部材２とが合致重合配設したスライド位置では、前記第一部材１に対する前記第二部材２の回動が許容され、且つ前記第一部材１に対して前記第二部材２を前記スライド部材４を介してスレ違いスライドさせた位置では前記第一部材１に対して前記第二部材２の回動が阻止されるように前記スライド位置回動規制機構６を構成したことを特徴とする請求項１〜５のいずれか１項に記載のスライド装置に係るものである。
【００１９】
また、前記第一部材１に対する第二部材２の回動軸部７を中央より偏心した位置に設けて、この第一部材１と第二部材２とを長方形状の同形に設定した際、第一部材１と第二部材２とが一致重合した状態から第一部材１に対して第二部材２を９０度回動することで第一部材と第二部材２とが十字でなくＴ字状に中央でクロスする交差形状となるように構成したことを特徴とする請求項１〜６のいずれか１項に記載のスライド装置に係るものである。
【００２０】
また、操作部21を設けた本体部にディスプレイ部20を設けた重合部をスレ違いスライド自在に重合し、前記本体部に対し前記重合部をスライドさせて前記本体部の上面を隠蔽露出自在に構成すると共に、前記重合部を９０度回動自在に設けて前記ディスプレイ部20の向きを９０度切り換え自在に構成し、この本体部を前記第一部材１若しくは前記第二部材２とし、前記重合部を前記第二部材２若しくは前記第一部材１として前記請求項１〜７のいずれか１項に記載のスライド装置によって重合連結したことを特徴とするスライド装置を用いた電子機器に係るものである。
【００２１】
また、横長の長方形状の前記本体部１とこれを同形の前記重合部２とを短辺方向にスレ違いスライド自在に連結すると共に、前記本体部１と前記重合部２とが一致重合した重合閉塞状態から前記重合部２をスレ違いスライドして本体部１の上面に設けた前記操作部21又は操作部21と第二ディスプレイ部を露出するように構成し、前記重合閉塞状態から前記重合部２を９０度回動した際、この重合部２の前記ディスプレイ部20の向きが切り換わると共に、前記本体部１と前記重合部２とが十字状若しくはＴ字状に中央でクロスした交差状態となることで前記本体部１の左右部が露出して前記操作部21が露出するように構成したことを特徴とする請求項８記載のスライド装置を用いた電子機器に係るものである。
【００２２】
また、前記請求項７記載のスライド装置を用いて前記本体部１と前記重合部２とを連結して、この本体部１と重合部２とを重合閉塞した状態からこの重合部２を９０度回動することで重合部２の横長状態の前記ディスプレイ部20が縦長状態に切り換わると共に、本体部１に対して重合部２が手前側に突出せず後方側に突出したＴ字状に中央でクロスする交差状態となって前記本体部１の左右の前記操作部21が露出するように構成したことを特徴とする請求項９記載のスライド装置を用いた電子機器に係るものである。
【００２３】
また、前記本体部１と前記重合部２とが一致重合した重合閉塞状態となるスライド０位置でのみ前記９０度回動が許容され、このスライド位置以外のスライド位置では前記本体部１に対する前記重合部２の回動は阻止されるように前記スライド位置回動規制機構６を構成したことを特徴とする請求項８〜１０のいずれか１項に記載のスライド装置を用いた電子機器に係るものである。
【発明の効果】
【００２４】
本発明は上述のように構成したから、スライドさせる部材を回動させて向きを切り替えでき、単にいつでも自由に回動できるのではなく、所定位置（所定範囲）ではスライド可能であるが回動は不能で、且つ所定のスライド位置でのみ（例えばスライド０位置の重合閉塞状態でのみ）回動可能となり、スムーズにスライド移動並びに回動切り替えが可能で、ふらつきが少なく、誤動作も防止でき、配線に支障を生じたりスライド機構や回動機構に支障が生じにくく耐久性も向上し、必要に応じて簡単な構成でクリック保持も容易に施すことも可能で、特にこのような所定スライド位置でのみ回動が許容されるスライド位置回動規制機構が極めて簡易な構成で容易に実現できる極めて画期的なスライド装置並びにスライド装置を用いた電子機器となる。
【００２５】
例えば、回動切り換えできるスライド位置を特定の位置のみとすることが容易にでき、使い易い位置でのみ、例えば一致重合した状態から９０度回動することで重合状態が十字状やＬ字状に中央でクロスする交差状態となって見易く使い易くなる位置でのみ、このように９０度向きを回動切り替えできるように設定でき、非常に使い易く実用性に秀れたスライド装置並びにスライド装置を用いた電子機器となる。
【００２６】
更に具体的一例をもって説明すれば、一方の部材に対してスライド移動し且つ回動するディスプレイ部を設けた他の部材をスライドさせて一部材に設けた操作部を露出させると共に、横長のディスプレイ部を９０度回動して縦長のディスプレイ部に変更でき、しかも回動できる位置を所定スライド位置（例えばスライド０位置の重合閉塞状態時）のみとすることで、回動すると常に操作部を設けた一方の部材に対してディスプレイ部を設けた他方の部材がＬ字状とならず中央で交差した十字状あるいは手前に突出しないＴ字状に重合した状態となり、操作部も操作し易く、また、他方の部材を横長のまま短辺方向の前後方向にスライドした状態と他方の部材を回動して縦長の状態としたときの双方とも操作部が同様に露出し、不必要に広く露出しないようにも構成可能となり、例えばスライド開放時には左右の操作部と中央の操作部や第二ディスプレイ部が露出し、９０度回動時には前述のように中央交差状態となり左右の操作部のみが露出したりするように構成できる。
【００２７】
特に請求項７記載の発明にあっては、回動軸部を偏心位置に設定して９０度回動することで十字状でなくＴ字状に中央でクロスした交差状態となって、手前には突出せず後方に突出した縦長ディスプレイ部として使用でき、特にゲーム機として使い易い構成となるように構成できる。
【００２８】
また、請求項２〜６記載の発明においては、更に一層簡易な構成でスライド位置回動規制機構を実現でき、本発明を容易に実現できる一層秀れたスライド装置となる。
【００２９】
また、請求項７記載の発明では、前述のように回動するとＴ字状に中央でクロスする交差形状となり、例えばスライド開放時には左右の操作部と中央の操作部や第二ディスプレイ部が露出し、９０度回動時には前述のように中央交差状態となり左右の操作部のみが露出するように構成でき、しかもＴ字状に交差するため、手前には突出せず後方に突出した縦長ディスプレイ部として使用でき、特にゲーム機として使い易い構成となるなど一層実用性に秀れたスライド装置となる。
【００３０】
また、請求項８〜１１記載の発明においては、前述のような作用効果を発揮する画期的な電子機器を提供できることとなる。
【発明を実施するための最良の形態】
【００３１】
好適と考える本発明の実施形態（発明をどのように実施するか）を、図面に基づいて本発明の作用を示して簡単に説明する。
【００３２】
本発明は、例えば第一部材１に第二部材２をスライド自在に重合すると共に、この重合面に沿って第二部材２を９０度回動切り換え自在に構成するにあたり、第一部材１に設けたガイド部３に板状のスライド部材４をスライド自在に設け、このスライド部材４上にスライド部材４と共にスライドするが、スライド部材４に対して重合面に沿って回動する板状の回動部材５を回動自在に設け、この回動部材５に第二部材２を設けている。
【００３３】
即ち、第一部材１に対して第二部材２をスライド部材４と回動部材５とを介してスライド自在にして回動自在に設けている（回動部材５を設けず直接第二部材２をスライド部材４に回動自在に設けても良い。）。
【００３４】
また、スライド位置回動規制機構６を備えてることで、所定スライド位置（範囲）以外では、スライド部材４に対する回動部材５を介しての第二部材２又は直接設けた第二部材２の回動は阻止され、第一部材１に対して第二部材２はスライド可能であるが回動不能であり、所定スライド位置（範囲）においてのみ、この回動が許容され回動可能となる。
【００３５】
言い換えると、予め設定した所定スライド位置（範囲）でのみ回動が可能で、また、この回動を行った場合はこの位置では回動位置を元に戻すかあるいは所定向きとならない限り、再びスライド移動ができないように構成している。
【００３６】
具体的には、回動規制ピン部８と回動時にこれと干渉する部分を設ける。例えば固定側とする第一部材１又はこれに設けるガイド部３に回動規制ピン部８を突設した場合、移動側であるスライド部材４又は回動部材５又は第二部材２にピン逃げ部９を設けて、回動規制ピン部８があってもスライドは許容されると共に、回動させる回動部材５又は第二部材２に設けるピン逃げ部９や回動部材５の形状や回動規制ピン部８の形成位置の設定によって、所定スライド範囲では回動しようとしてもこの回動規制ピン部８に突き当り干渉して回動が阻止されるようにスライド位置回動規制機構６を構成する。
【００３７】
従って、例えば使い易い位置、例えば重合状態がＬ字状にならず十字状やＴ字状になる位置でのみ（例えばスライド０位置の一致重合閉塞状態でのみ）向きを９０度回動切り替えできるように設定できる。
【００３８】
更に具体的一例をもって説明すれば、操作部21を設けた一方の部材１に対してスライド移動し且つ回動するディスプレイ部20を設けた他方の部材２をスライドさせて一方の部材１に設けた操作部21を露出させると共に、横長のディスプレイ部20を９０度回動して縦長のディスプレイ部20に変更でき、しかも回動できる位置（例えば重合閉塞状態時）で回動すると、常に操作部21を設けた一方の部材１に対してディスプレイ部20を設けた他方の部材２とがＬ字状とならず十字状やＴ字状など中央でクロスした交差重合した状態となり、見易く且つ左右に露出した操作部21も操作し易く、また、他方の部材２を横長のままスライド開放した状態と、スライド開放せず他方の部材２を回動して横長の状態として十字状やＴ字状としたときの双方とも操作部21が露出し、不必要に露出しないようにも構成できることとなる。
【００３９】
しかも、横長長方形状同志を一致重合させた重合閉塞状態からそのまま短辺方向の前後方向にスライド開放すれば、左右の操作部21だけでなく中央の操作部21や第二ディスプレイ部も露出されるが、重合閉塞位置から９０度回動すると、左右の操作部21のみが露出し、且つ横長であったディスプレイ部20は縦長ディスプレイ部20として使用でき、また、更に回動軸部７を偏心した位置とし、９０度回動したとき手前側へ突出せずにＴ字状に中央部でクロスする交差状態となるように構成すれば、更に縦長ディスプレイ部が見易く、特にＴＶゲーム機として更に使い易い構成となる。
【実施例】
【００４０】
本発明の具体的な実施例について図面に基づいて説明する。
【００４１】
本実施例は、重合コンパクト化の図れる携帯形パソコンやモバイルあるいはＴＶゲーム機として使用できる電子機器に本発明を適用したもので、回路基板，電源などの電子部品をケースに内装した横長厚板状の第一部材１（本体部１）の上面側に中央に数字キーやファンクションキーなどを配列したキーボード機能を果たす中央の操作部21あるいは第二ディスプレイ部を設け、左右にはＴＶゲーム機用の操作部21を設け、この本体部１に重合して操作部21を覆う略同形の横長厚板状の第二部材２（重合部２）を短辺方向である水平前後方向にスライド自在にして、且つ水平に９０度回動自在にスライド装置により連結した構成としている。
【００４２】
この重合部２の上面側には予め設定した画面や前記操作部21の操作や着信などにより所定の表示がなされると共にメモリや受信等により取得し出力するＴＶやＤＶＤなどのような横長映像を表示できる横長ディスプレイ部20を設けている。
【００４３】
この本体部１と重合部２との連結は、双方の重合部分の互いの伏面に必要に応じて連結具を用いて後述する回動機構とスライド位置回動規制機構６とを組み込んだスライド装置により連結して、本体部１に対して重合部２をスライド自在に開閉できるように構成し、本体部１の操作部21を重合部２で隠蔽した重合閉塞位置と、重合部２を位置ズレするように前後方向へスライド移動させて左右の操作部21も中央部の操作部21や第二ディスプレイ部も露出させたスライド開放位置とで位置決め保持（スライドクリック係合）するように構成している。
【００４４】
そして、後述する回動機構とスライド位置回動規制機構６によって、このスライド０位置の重合閉塞位置でのみ、回動ストッパー機構によって略９０度以上過回動することなく且つ片方向にのみ９０度往復回動できるように構成している。この場合第一部材１と第二部材２とはＬ字状にならず十字状あるいはＴ字状、即ち９０度回動すると横長の第二部材２のディスプレイ部20の中央が第一部材1の略中央ライン上でクロスする交差重合状態となり、その左右に操作部21が露出し、ディスプレイ部20が非常に見やすく、また操作部21も操作し易く扱い易い使用状態に変更できるように構成している。
【００４５】
即ち、後述する第二実施例では十字状に交差重合するが、第一実施例では回動軸部７を中央から後方片側へ偏心させて、９０度回動しても前辺部が一致して中央部でクロスするＴ字状に重合し、第二部材２が手前側へ突出せず後方に縦長に延び、且つ第一部材１の左右の操作部21のみが露出し、ＴＶゲーム機として非常に使い易い状態に切り換えできるように構成している。
【００４６】
また、更にスライドも回動も可能なスライド０位置と、９０度回動してこの第二部材２のディスプレイ部20を横長状態から縦長状態とした９０度回動位置とで位置決め保持（回動クリック係合）するようにも構成している。
【００４７】
以下、本実施例のこの回動機構を備えたスライド装置について更に説明する。
【００４８】
先ず、９０度回動時にＴ字状にクロスする第一実施例１について説明する。
【００４９】
（尚、本明細書におけるこのＴ字状とは十字状と区別するための表現で、本実施例では手前から見れば逆Ｔ字状であるが、この逆Ｔ字状も含む意味であることを念の為付言する。）
横長形状の第一部材１（本体部１)とこの第一部材１（本体部１）に重合配設した同形の第二部材２（重合部２）とを短辺方向である前後方向に重合面に沿ってスライド自在に連結するスライド装置であって、本実施例ではこのスライド方向の移動をガイドする折り返し状係合部を有する形状に構成したガイド部３をスライド部材４を納める第一部材１の上面凹部の左右対向位置に夫々設け、このガイド部３をスライドガイドとして左右縁を係合させて板状のガイド部材４を第一部材１にスライド自在に設けている。
【００５０】
このスライド部材４は二枚組み付け構成で、このスライド部材４上に第二部材２に設けた板状の回動部材５を回動自在に設けている。従って、本実施例では、第一部材１に対して第二部材２をスライド部材４及び回動部材５を介してスライド自在にして且つ回動自在に構成している。
【００５１】
また、本実施例では、前記ガイド部３に対するスライド部材４の所定スライド位置では、第一部材１に対する第二部材２の回動を阻止し、且つ別のスライド位置では前記回動を許容するスライド位置回動規制機構６を設けている。
【００５２】
即ち、第一部材１と前記スライド部材４又は前記第二部材２の一方に回動規制ピン部８を突設し、他方はこの回動規制ピン部８の相対スライド移動を許容する逃げ凹部，逃げ溝若しくは逃げ孔などのピン逃げ部９を有する形状に設定し、前記所定スライド位置では第一部材１に対する回動部材５を介しての第二部材２の回動が回動規制ピン部８により突き当り規制されて第一部材１に対して第二部材２の回動が阻止され、且つ前記スライド位置と異なるスライド位置では回動規制ピン部８による突き当たり規制はなく回動が許容されるように回動部材５又は第二部材２の形状と規制ピン部８の突設位置を設定して前記スライド位置回動規制機構６を構成している。
【００５３】
具体的には、本実施例では、第一部材１に設けたガイド部３に前記回動規制ピン部８を設け、この回動規制ピン部８の前記スライド部材４のスライド移動による相対移動を許容する前記ピン逃げ部９を第二部材２の重合面に設けると共に、回動部材５の形状もスライド移動に際しては回動規制ピン部８と干渉しない形状に設定し、第一部材１にスライド自在に設けたスライド部材４に対して、回動部材５を介して第二部材２を回動する際、前記スライド部材４が所定スライド位置（スライド０位置以外のスライド開放範囲）にあるときは、前記回動規制ピン部８と前記ピン逃げ部９の縁部や前記回動部材５の側縁部とが突き当り干渉して回動が阻止され、前記スライド位置と異なるスライド位置では突き当り規制されず回動が許容されるように前記スライド位置（スライド０位置の重合閉塞位置）回動規制機構６を構成している。
【００５４】
即ち、このように回動規制ピン部８の突設位置とピン逃げ部９の形状及び回動部材５の形状を設定して第一部材１と第二部材２とが合致重合配設したスライド位置では、第一部材１に対する第二部材２の回動が許容され、且つ第一部材１に対して第二部材２をスライド部材４を介してスレ違いスライドさせた位置では第一部材１に対して第二部材２の回動が阻止されるように前記スライド位置回動規制機構６を構成している。
【００５５】
更に説明すると、前述のように、このスライド部材４上に回動自在に重合する回動部材５の形状と回動規制ピン部８との位置を、第一部材１に対してスライド部材４と共にスライド自在となり、且つ前記回動規制ピン部８に規制されずに前記所定スライド位置（スライド０位置）では回動規制ピン部８に突き当り規制されずに回動が許容される形状に設定している。
【００５６】
更に具体的に説明すると、本実施例では、第一部材１に設けたガイド部３上に回動規制ピン部８を突設して、スライド部材４上にして回動部材５の側部に回動規制ピン部８を配設し、この回動規制ピン部８のスライドを許容するピン逃げ部９は、本実施例ではスライド部材４に設ける必要がなく、また回動部材５にも設けず第二部材２の裏面に設けて、回動規制ピン部８があってもスライド移動が許容されるように構成している。そして回動しようとすると回動部材５の側縁部や第二部材２のピン逃げ部９の縁部が回動規制ピン部８に突き当たって回動を阻止し、ところがスライド０位置ではピン逃げ部９はその回動を許容し、且つ回動部材５の形状もこれを許容するように側縁部から後縁部にかけた形状を設定している。
【００５７】
また本実施例では、ガイド部３の折り返しコ字状係合部３Ａにスライド部材４の縁部をスライド自在に係合する際、これを左右のリブ部で支承してスムーズなスライド移動となるようにする下パーツ３Ｂを設けた構成にすると共に、回動規制ピン部８を設けた上パーツ３Ｃをコ字状係合部３Ａの上片部裏面に付設するが、この上パーツ３Ｃの取付孔に下方に弾圧突出する係合クリック用突部12を設けた板バネ部３Ｄを設け、この係合クリック用突部12が落ち込み係合するスライドクリック係合部13をスライド部材４の縁部の前後両側に設けて重合閉塞位置とスライド開放位置とでスライドクリック係合して位置決め保持されるように構成している。
【００５８】
また、回動機構は、第二部材２に設ける回動部材５に、スライド部材４に設けた軸受孔14に回動自在に係合する回動軸部７を設けた構成としている。本実施例では、このスライド部材４と回動部材５との間に弾圧突出する係合クリック用突部10を形成した板バネリング16をスライド部材４上に固定し、この係合クリック用突部10が落ち込み係合する回動クリック係合部11を回動部材５の裏面に設けている。これにより、重合閉塞位置と９０度回動位置とで係合クリックし位置決め保持されるように構成している。
【００５９】
また、スライド部材４の軸受孔14の周辺からストッパー受部17を突出し、このストッパー受部17に突き当り係止するストッパー部18を前記回動軸部７に設けて過回動を防止している。
【００６０】
従って、本実施例では、組み付けが容易で、特にスライド位置回動規制機構６を容易に実現でき、回動クリック係合もストッパー機構も容易に施すことができ、極めて実用性に秀れ容易に本発明を実現できる画期的な構成としている。
【００６１】
即ち、更に具体的一例をもって説明すれば、操作部21を設けた第一部材１に対してスライド移動し且つ回動するディスプレイ部20を設けた第二部材２をスライドさせて第一部材１に設けた操作部21を露出させると共に、横長のディスプレイ部20を９０度回動して縦長のディスプレイ部20に変更でき、しかも回動できる位置（重合閉塞状態）で回動すると、常に操作部21を設けた第一部材１に対してディスプレイ部20を設けた第二部材２とがＴ字状に中央でクロスした交差重合した状態となり、操作部21も操作し易い。
【００６２】
しかも、横長方形状の第一部材１と第二部材２とを一致重合させた重合閉塞状態から短辺方向の前後方向にスライド開放すれば、左右の操作部21だけでなく中央の操作部21や第二ディスプレイ部も露出されるが、重合閉塞位置から９０度回動すると、左右の操作部21のみが露出し、縦長ディスプレイ部20として使用でき、また、更に回動軸部７を、スライド部材４の中央から偏心した位置に設けた軸受孔14に回動自在に係合して、９０度回動したとき手前側へ突出しないＴ字状に中央でクロスした交差状態となるように構成したから、更に縦長ディスプレイ部が見易くＴＶゲーム機として更に使い易い構成となる。
【００６３】
また、回動すると十字状にクロスする第二実施例について説明する。
【００６４】
この第二実施例は、第一実施例と同じ構成であるが、異なる点について以下説明する。
【００６５】
この第二実施例では、ガイド部３に回動規制ピン部８を設けず第一部材１のスライド部材４をスライド自在に納める凹部の底面左右後方端部に回動規制ピン部８を突設し、この回動規制ピン部８が貫通突出するピン逃げ部９をスライド部材４の左右にスライド方向に長さを有するように形成して、このピン逃げ部９から回動規制ピン部８を突出させてスライド部材４上に配設すると共に、回動規制ピン部８があってもスライド部材４をスライドできるように構成している。
【００６６】
この左右の回動規制ピン部８間に納まるようにスライド部材４上に回動部材５を回動自在に設け、重合閉塞状態では、左右の回動規制ピン部８は回動部材５の後方端左右にあって回動部材５の左右縁部と後方縁部の形状設定によって回動に際して回動規制ピン部８と干渉せず、スライド部材４をスライドさせて、回動部材５の左右縁外側近傍に回動規制ピン部８が位置してしまうと、回動が阻止されるように構成している。
【００６７】
従って、この第二実施例では、第一部材１に設けた回動規制ピン部８をスライド部材４に設けたピン逃げ部９を介してスライド部材４上で回動する回動部材５の側部に配設して、回動部材５の回動を規制するように構成し、スライド０位置では後端部に位置して回動を規制しないように構成している。
【００６８】
従って、本実施例でも、回動規制ピン部８の位置と回動部材５の形状設定によってスライド位置回動規制機構６を構成している。
【００６９】
この場合、回動部材５に更にピン逃げ部９を設けたり第二部材２に更にピン逃げ部９を設けてこのピン逃げ部９の縁部によって回動部材５の回動や第二部材２の回動を規制するように構成しても良い。
【００７０】
第一実施例や第二実施例やその他いずれの実施例においても、スライド部材４上で回動する回動部材５や第二部材２の形状やピン逃げ部９の形状及び回動規制ピン部８に突設位置の設定によってスライド位置回動規制機構６を容易に構成でき、極めて画期的なスライド装置並びにスライド装置を用いた電子機器となる。
【００７１】
また、前記第二実施例でのガイド部３は、第一部材１の回動規制ピン部８の近くにスムーズなスライドを実現すると共に所定のスライド抵抗を生じるようにガイド接点部３Ｅをガイド本体となるスライド駒部３Ｆに設け、このガイド接点部３Ｅを設けたガイド駒部３Ｆには、スライド係合クリック用突部12を設けた板バネ部３Ｄを設け、これをスライド部材４の左右に設けたガイドレールとしてのレール状部４Ａにスライド自在に係合し、このレール状部４Ａの前後両端部に設けたスライドクリック係合部13に落ち込み係合してスライドクリック係合するように構成している。
【００７２】
また、本実施例ではスライド部材４の中央に軸受孔14を設けこれに回動部材５の回動軸部７を回動自在に設けて、９０度回動したとき十字状にクロスした交差状態となるように構成している。
【００７３】
尚、本発明は、本実施例に限られるものではなく、各構成要件の具体的構成は適宜設計し得るものである。
【図面の簡単な説明】
【００７４】
【図１】第一実施例の重合閉塞状態での説明斜視図である。
【図２】第一実施例のスライド開放位置での説明斜視図である。
【図３】第一実施例の回動途中での説明斜視図である。
【図４】第一実施例の９０度回動してＴ字状交差状態の説明斜視図である。
【図５】第一実施例の分解斜視図である。
【図６】第一実施例の重合閉塞状態でのスライドクリック係合状態を示すスライドクリック機構の説明斜視図である。
【図７】第一実施例のスライド開放位置でのスライドクリック係合状態を示すスライドクリック機構の説明斜視図である。
【図８】第一実施例の重合閉塞状態でのピン逃げ部を示す説明平面図である。
【図９】第一実施例の回動途中でのピン逃げ部を示す説明平面図である。
【図１０】第一実施例の９０度回動してＴ字状交差状態でのピン逃げ部を示す説明平面図である。
【図１１】第一実施例の第二部材裏面のピン逃げ部を示す説明斜視図である。
【図１２】第一実施例の回動部材の別例を示す説明図である。
【図１３】第一実施例の回動部材のストッパー受部を示す説明斜視図である。
【図１４】第一実施例のスライド開放位置での反対面から見た説明斜視図である。
【図１５】第一実施例の重合閉塞状態での説明側断面図である。
【図１６】第一実施例のスライド開放位置での説明側断面図である。
【図１７】第一実施例の重合閉塞状態での要部の説明正断面図である。
【図１８】第二実施例の重合閉塞状態での説明斜視図である。
【図１９】第二実施例のスライド開放位置での説明斜視図である。
【図２０】第二実施例の回動途中での説明斜視図である。
【図２１】第二実施例の９０度回動して十字状交差状態の説明斜視図である。
【図２２】第二実施例の分解斜視図である。
【図２３】第二実施例の重合閉塞状態からスライド開放位置までの回動規制を示す説明図である。
【図２４】第二実施例の重合閉塞状態から十字状交差状態までの回動を示す説明図である。
【図２５】第二実施例の回動部材とバネリングの説明斜視図である。
【図２６】第二実施例の回動軸部の説明斜視図である。
【図２７】第二実施例のガイド部とスライドレール状部の説明分解図である。
【図２８】第二実施例の重合閉塞状態での説明側断面図である。
【図２９】第二実施例のスライド開放位置での説明側断面図である。
【図３０】第二実施例の回動軸部の説明正断面図である。
【符号の説明】
【００７５】
１  第一部材，本体部
２  第二部材，重合部
３  ガイド部
４  スライド部材
５  回動部材
６  スライド位置回動規制機構
７  回動軸部
８  回動規制ピン部
９  ピン逃げ部
20  ディスプレイ部
21  操作部
【図１】
2008275780.tif 000003
【図２】
2008275780.tif 000004
【図３】
2008275780.tif 000005
【図４】
2008275780.tif 000006
【図５】
2008275780.tif 000007
【図６】
2008275780.tif 000008
【図７】
2008275780.tif 000009
【図８】
2008275780.tif 000010
【図９】
2008275780.tif 000011
【図１０】
2008275780.tif 000012
【図１１】
2008275780.tif 000013
【図１２】
2008275780.tif 000014
【図１３】
2008275780.tif 000015
【図１４】
2008275780.tif 000016
【図１５】
2008275780.tif 000017
【図１６】
2008275780.tif 000018
【図１７】
2008275780.tif 000019
【図１８】
2008275780.tif 000020
【図１９】
2008275780.tif 000021
【図２０】
2008275780.tif 000022
【図２１】
2008275780.tif 000023
【図２２】
2008275780.tif 000024
【図２３】
2008275780.tif 000025
【図２４】
2008275780.tif 000026
【図２５】
2008275780.tif 000027
【図２６】
2008275780.tif 000028
【図２７】
2008275780.tif 000029
【図２８】
2008275780.tif 000030
【図２９】
2008275780.tif 000031
【図３０】
2008275780.tif 000032